(57)【要約】      （修正有）【課題】軽量化し、製造材料を節減し、材料コストを低減し、実用性を具える継電器を提供する。【解決手段】本継電器は、底台１と、該底台上に組み込む磁性吸引部材２とを含み、該磁性吸引部材は、接点スイッチ２１を含み、該底台底端の該接点スイッチの方向に収容溝を凹設し、かつ該底台が第１導電端子及び第２導電端子を設け、収容溝が第１導電端子及び第２導電端子の間に介し、このように、軽量化し、製造材料を節減し、材料コストを低減した継電器となっている。また、該収容溝内に永久磁石を設置し、継電器が通電時、永久磁石の磁性作用力により、該少なくとも２つの接点スイッチの動作が発生するアークに影響を及ぼし、アークが磁性作用力を受けて引き伸ばされ、消滅を加速する。【選択図】図１
0003168108.tif 000002
【実用新案登録請求の範囲】
【請求項１】
底台と、底台上に組み込む磁性吸引部材と、を含み、該磁性吸引部材は、少なくとも２つの接点スイッチを含み、該底台底端の該少なくとも２つの接点スイッチの方向に収容溝を凹設し、且つ該底台が第１導電端子及び第２導電端子を設け、収容溝が第１導電端子及び第２導電端子の間に介する継電器。
【請求項２】
前記収容溝内に少なくとも１つの永久磁石を設置し、このように、継電器は、永久磁石の磁性作用力により、該少なくとも２つの接点スイッチの動作が発生するアークに影響を及ぼし、アークが磁性作用力を受けて引き伸ばされ、消滅を加速する請求項１に記載の継電器。
【請求項３】
前記磁性吸引部材は、更にリールを含み、且つリール端部は、少なくとも２つの接点スイッチの間に対応し、スロットを設け、該底台上には、該少なくとも２つの接点スイッチに対応し、凸リブを設置し、該リールのスロットは、該底台の凸リブに挿入設置され、且つ該凸リブは、該少なくとも２つの接点スイッチの間に位置する請求項１に記載の継電器。
【請求項４】
前記リールは、中空且つ矩形断面を有する軸心と、軸心両端にそれぞれ設けられる上下端片と、軸心に挿入設置される少なくとも２つの相互に堆積する鉄芯と、を含み、更に、リールが軸心に巻き付けられ、上下端片の間に位置し、該少なくとも２つの鉄芯の両端は、それぞれ上下端片外に露出し、該スロットは、該上端片上に挿入設置される請求項３に記載の継電器。
【請求項５】
前記底台は、底台を貫通するラッチ溝を設け、且つ該ラッチ溝は、収容溝一側に位置し、該リールは、ラッチ溝に対応し、挿入設置定位する嵌合部を設け、該嵌合部は、該リール上端片に設けられ、スロットが嵌合部に設けられる請求項４に記載の継電器。
【請求項６】
前記軸心内部に少なくとも１つの面に複数の軸向きに配列されるパッキング凸条を設け、該軸心は、パッキング凸条により少なくとも２つの相互に堆積する鉄芯を係止し、軸心内に定位し、該少なくとも２つの鉄芯が上端片外に露出する端部にそれぞれ凸部を設け、且つ該凸部の寸法は、軸心の寸法より大きく、且つ該各鉄芯の凸部は、相互に堆積配列される請求項４に記載の継電器。
【考案の詳細な説明】
【技術分野】
【０００１】
本考案は、電子部材に関し、特に、軽量化した継電器に関する。
【背景技術】
【０００２】
継電器（Relay）は、電子制御器部材であり、自動化制御電子回路中に応用され、例えば、通信交換機、工業制御、車輪又はエアコン等は、何れもその応用を有し、実際に小さな電流を用いて大きな電流を制御する電子式自動スイッチとして用いる。継電器は、電子回路において、自動調節、安全保護、変換回路等の役割を担う。
【０００３】
近年より電子技術の急速な発展に伴い、電子部材の各項の性能も進歩し、関連電子産業は、更に軽量化、小型化、部材機能の統合等の方向に研究開発が求められ、そのうち、更に、小型精巧化により体積及び重量の減縮を達成する研究開発が研究要点の１つとなっている。しかしながら、この種の研究は、通常、使用空間、重量及び設置空間の縮小において、困難に遭遇している。
【０００４】
これに鑑みて、本願の考案者は、電子部材の軽量化の設計理念に基づき、継電器の関連構造改良を行い、軽量化、製造コスト、材料コストを節減し、良好な実用性を具える継電器となっている。
【先行技術文献】
【特許文献】
【０００５】
【特許文献１】特開２００９−２３２５９６号公報
【考案の概要】
【考案が解決しようとする課題】
【０００６】
本考案の目的は、軽量化し、製造材料を節減し、材料コストを低減し、実用性を具える継電器を提供することである。
【課題を解決するための手段】
【０００７】
上記の目的を達成するため、本考案の継電器は、底台と、底台上に組み込む磁性吸引部材と、を含み、該磁性吸引部材は、少なくとも２つの接点スイッチを含み、該底台底端の該少なくとも２つの接点スイッチの方向に収容溝を凹設し、且つ該底台が第１導電端子及び第２導電端子を設け、収容溝が第１導電端子及び第２導電端子の間に介する。
【０００８】
本考案の継電器は、以下の技術特徴を含む；
１．収容溝内に少なくとも１つの永久磁石を設置し、継電器は、永久磁石の磁性作用力により、該少なくとも２つの接点スイッチの動作が発生するアークに影響を及ぼし、アークが磁性作用力を受けて引き伸ばされ、消滅を加速する。
２．該磁性吸引部材は、更にリールを含み、且つリール端部は、少なくとも２つの接点スイッチの間に対応し、スロットを設け、該底台上には、該少なくとも２つの接点スイッチに対応し、凸リブを設置し、該リールのスロットは、該底台の凸リブに挿入設置され、且つ該凸リブは、該少なくとも２つの接点スイッチの間に位置する。
３．該リールは、中空且つ矩形断面を有する軸心と、軸心両端にそれぞれ設けられる上下端片と、軸心に挿入設置される少なくとも２つの相互に堆積する鉄芯と、を含み、更に、リールが軸心に巻き付けられ、上下端片の間に位置し、該少なくとも２つの鉄芯の両端は、それぞれ上下端片外に露出し、該スロットは、該上端片に挿入設置される。
４．該底台は、底台を貫通するラッチ溝を設け、且つ該ラッチ溝は、収容溝一側に位置し、該リールは、ラッチ溝に対応し、挿入設置定位する嵌合部を設け、該嵌合部は、該リール上端片に設けられ、スロットが嵌合部に設けられる。
５．該軸心内部に少なくとも１つの面に複数の軸向きに配列されるパッキング凸条を設け、該軸心は、パッキング凸条により少なくとも２つの相互に堆積する鉄芯を係止し、軸心内に定位する。
６．該少なくとも２つの鉄芯が上端片外に露出する端部にそれぞれ凸部を設け、且つ該凸部の寸法は、軸心の寸法より大きく、且つ該各鉄芯の凸部は、相互に堆積配列される。
【０００９】
従って、本考案は、実用性及び進歩性を有する考案であると言うことができ、産業界に推進し、社会大衆に公開するに値する。
【考案の効果】
【００１０】
本考案は、軽量化し、製造材料を節減し、材料コストを低減し、実用性を具える継電器を提供する。
【図面の簡単な説明】
【００１１】
【図１】本考案の組み合わせ状態の立体説明図である。
【図２】本考案の分解状態立体説明図である。
【図３】本考案の局部分解状態立体説明図である。
【図４】本考案の他の角度の局部分解状態立体説明図である。
【図５】本考案の底台及びリールの組み合わせ状態立体説明図である。
【図６】本考案の磁性吸引動作の前後の状態説明図である。
【図７】本考案の磁性吸引動作の前後の状態説明図である。
【考案を実施するための形態】
【００１２】
本考案の「継電器」の構成部材及び部材構造を詳細に説明する為、参考図面を組み合わせて参照し、図１〜図５に示すように、それは、底台１及び底台１上に設けられる磁性吸引部材２を含む。
【００１３】
該磁性吸引部材２は、少なくとも２つの接点スイッチ２１（本実施例では、２つの接点スイッチ２１を例とする）を含み、該底台１底端は、該少なくとも２つの接点スイッチ２１に対応する方向に収容溝１１を凹設し、且つ該収容溝１１内に少なくとも１つの永久磁石３を設け、該底台１の収容溝１１を設ける端部は、第１導電端子１３及び第２導電端子１４を設け、収容溝１１は、第１導電端子１３及び第２導電端子１４の間に介する。
【００１４】
該磁性部材２は、更に、リール２２を含み、且つリール２２端部は、少なくとも２つの接点スイッチ２１の間に対応し、スロット２２１を設け、該底台１上には、該少なくとも２つの接点スイッチ２１に対応し、凸リブ１２を設置し、該リール２２のスロット２２１は、該底台１の凸リブ１２に挿入設置され、且つ該凸リブ１２は、該少なくとも２つの接点スイッチ２１の間に位置する。
【００１５】
該リール２２は、中空且つ矩形断面を有する軸心２２２と、軸心２２２両端にそれぞれ設けられる上下端片２２３，２２４と、軸心２２２に挿入設置される少なくとも２つの相互に堆積する鉄芯２２５と、を含み、更に、リール２３が軸心２２２に巻き付けられ、上下端片２２３，２２４の間に位置し、該少なくとも２つの鉄芯２２５の両端は、それぞれ上下端片２２３，２２４外に露出し、該スロット２２１は、該上端片２２３上に挿入設置される。
【００１６】
該軸心２２２内部に少なくとも１つの面に複数の軸向きに配列されるパッキング凸条２２２１を設け、該軸心２２２は、パッキング凸条２２２１により少なくとも２つの相互に堆積する鉄芯２２５を係止し、軸心２２２内に定位する。該少なくとも２つの鉄芯２２５が上端片２２３外に露出する端部にそれぞれ凸部２２５１を設け、且つ該凸部２２５１の寸法は、軸心２２２の寸法より大きく、且つ該各鉄芯２２５の凸部２２５１は、相互に堆積配列される。
【００１７】
更に、本考案の「継電器」の部材及び部材構造を説明する。
該底台１は、収容溝１１を設ける他端の方向に挿入溝１５と、コイル２３と電気接続する第１コイル端子１６及び第２コイル端子１７と、を設ける。該底台１底端は、底台１を貫通するラッチ溝１８を設け、且つ該ラッチ溝１８は、収容溝１１の一側に位置する。
【００１８】
該リール２２は、ラッチ溝１８に対押して挿入設置定位される嵌合部２２３１を設け、且つ該嵌合部２２３１は、該リール２２上端片２２３上に設けられ、スロット２２１は、嵌合部２２３１上に設けられる。
【００１９】
該磁性吸引部材２は、更に、支持構造２４と、弾性片２５と、極板２６と、中弾性片２７と、保護ソケット２８と、釘２９と、を含む。そのうち、該支持構造２４は、Ｌ形構造部材であり、リール２２端部及び外側を囲うように設けられ、且つ支持構造２４の一端は、底台１の挿入溝１５に挿入設置され、多端は、リール２２外側に延伸し、該弾性片２５は、Ｌ形構造部材を呈し、且つ一端が支持構造２４上に組み込まれ、弾性片２５の他端は、該少なくとも２つの接点スイッチ２１に向かう方向に延伸し、該極体２６及び中弾性片２７は、弾性片２５両側にそれぞれ設置され、該少なくとも２つの接点スイッチ２１に向かって延伸し、極板２６は、鉄芯２２５向きに設置される形態であり、該中弾性片２７は、それぞれ第１導電端子１３及び第２導電端子１４に向く２つの導電端部２７１を設け、該第１，第２導電端子１３，１４及び中弾性片２７の２つの導電端部２７１は、該少なくとも２つの接点スイッチ２１（ここでは、２つの接点スイッチ２１を例とする）を構成し、保護ソケット２８は、中弾性片２７上に被せ設けられ、該釘２９により保護カバー２８と、中弾性片２７と、弾性片２５と、を貫通し、極板２６上に固定する。
【００２０】
継電器が通電する時、図２、図６、図７を合わせて参照し、第１、第２コイル端子１６，１７は、コイル２３を電気的に導通し、且つ通電したコイル２３及び鉄芯２２５の作用の下、磁性作用力を発生し、該極板２６を磁性吸引し、導電端部２７１を第１、第２導通端子１３，１４に向かって同期連動し、相互に接触させ、該少なくとも２つの接点スイッチ２１が導通する一入力一出力の制御回路を構成する。
【００２１】
継電器が断電される時、弾性片２５が中弾性片２７の復位を連動し、この時、永久磁石３が底台１の収容溝１１内に設置され、且つ永久磁石３が該少なくとも２つの接点スイッチ２１の位置に対応することにより、その磁性作用力は、該少なくとも２つの接点スイッチ２１がオフとなる時に発生するアークに影響を及ぼし、引き伸ばされたアークを迅速に消滅させ、この方式を採用することは、構造が簡単であり、組み込みが容易であり、業者の生産コストを低減する等の効果を有する。
【００２２】
このように、本考案は、底台１に設置した収容溝１１を利用し、底台１の製造材料を節減し、軽量化され且つ実用性が良好な継電器となっており、これに基づき、本考案の目的及び効果を達成する。また、該収容溝１１内に永久磁石３を安置することができ、該永久磁石３の磁性力は、接点スイッチ２１の作用が発生するアークを消滅する効果を有する。
【００２３】
また、本考案は、該リール２２の軸心２２２が中空且つ矩形断面構造であること、及び軸心２２２に挿入設置される少なくとも２つの相互に堆積する鉄芯２２５の設計を利用し、矩形軸心２２２が提供するリール２３の巻き線の空間利用率が円形断面設計より優れ、コイル２３が発生する磁性作用力を向上する。
【００２４】
また、本考案のリール２２端部の該少なくとも２つの接点スイッチ２１の間にスロット２２１を設け、該底台１上に該少なくとも２つの接点スイッチ２１に対応して凸リブ１２を設置する設計は、該リール２２のスロット２２１を底台１の凸リブ１２に挿入設置させ、同時に嵌合部２２３１を導引し、ラッチ溝１８内に挿入設置定位させ、該凸リブ１２は、該少なくとも２つの接点スイッチ２１の間に位置し、該底台１及び該リール２２を緊密に結合し、良好な定位組み立て効果を有する。
【００２５】
提示すべきこととして、該保護ソケット２８は、該少なくとも２つの接点スイッチ２１の方向に係止部２８１を設け、該底台１の凸リブ１１２末端箇所には、係止部２８１に向けて係止リブ１２１を延伸設置し、該底台１は、係止リブ１２１により該保護ソケット２８に定位し、弾性力を受けて復位する位置に定位する。
【００２６】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２７】
１  底台
１１  収容溝
１２  凸リブ
１２１  係止リブ
１３  第1導電端子
１４  第２導電端子
１５  挿入溝
１６  第1コイル端子
１７  第２コイル端子
１８  ラッチ溝
２  磁性吸引部材
２１  接点スイッチ
２２  リール
２２１  スロット
２２２  軸心
２２２１  パッキング凸条
２２３  上端片
２２３１  嵌合部
２２４  下端片
２２５  鉄芯
２２５１  凸部
２３  リール
２４  支持構造
２５  弾性片
２６  極板
２７  中弾性片
２７１  導電端部
２８  保護ソケット
２８１  係止部
２９  釘
３  永久磁石
【図１】
0003168108.tif 000003
【図２】
0003168108.tif 000004
【図３】
0003168108.tif 000005
【図４】
0003168108.tif 000006
【図５】
0003168108.tif 000007
【図６】
0003168108.tif 000008
【図７】
0003168108.tif 000009